(57)【要約】【課題】かさ上げ材を必要とせずにＲＣスラブのかさ上げをすることを可能として、経済性に優れたＲＣスラブを構築可能にする。【解決手段】本発明の端部閉塞フラットデッキプレート１は、上面の平板部２を長さ方向にわたって下方に折り曲げて形成された補剛用リブを複数条備えたフラットデッキプレートにおける長手方向両端部に、平板部２を補剛用リブ下面位置まで押し潰してなるリブ下面位置閉塞端部１ａを形成した構造である。端部閉塞フラットデッキプレート１の長手方向両端の閉塞端部１ａを梁６に載せた捨て型枠でＲＣスラブ１５を構築すると、梁６の上面に対してかさ上げされたＲＣスラブ１５が得られる。かさ上げ材を必要とせずに、ＲＣスラブ１５のスラブ厚ｄが過剰に厚くなる過剰設計を避けることができる。【選択図】図５
2011026920.tif 000002
【特許請求の範囲】
【請求項１】
上面の平板部を長さ方向にわたって下方に折り曲げて形成された補剛用リブを複数条備えたフラットデッキプレートにおける長手方向両端部に、平板部を補剛用リブ下面位置まで押し潰してなるリブ下面位置閉塞端部を備えたことを特徴とする端部閉塞フラットデッキプレート。
【請求項２】
梁を境界として片側に、スラブ上に二重床を備えた第１の床、他側に、ＲＣスラブを備えた第２の床を構築する際に、前記第２の床のＲＣスラブを、第２の床が第１の床の床面高さと同じ床面高さとなるように構築する建築構造物のＲＣスラブ構築方法であって、
前記第２の床のＲＣスラブを構築する際の捨て型枠として、請求項１のフラットデッキプレートを用いて、梁上面に対してかさ上げされたＲＣスラブを構築することを特徴とする建築構造物のＲＣスラブ構築方法。
【請求項３】
梁を境界として片側に、第１の床、他側に、設計強度上要求されるスラブ厚が第１の床よりも小のＲＣスラブを備えた第２の床を構築する際に、前記第２の床のＲＣスラブを、第２の床が第１の床の床面高さと同じ床面高さとなるように構築する建築構造物のＲＣスラブ構築方法であって、
前記第２の床のＲＣスラブを構築する際の捨て型枠として、請求項１の端部閉塞フラットデッキプレートを用いて、梁上面に対してかさ上げされたＲＣスラブを構築することを特徴とする建築構造物のＲＣスラブ構築方法。
【請求項４】
梁が鉄骨梁である場合に請求項２又は３の建築構造物のＲＣスラブ構築方法によりＲＣスラブを構築する際のコンクリート打設に際して、前記鉄骨梁上面に予め頭付きスタッドを溶接固定した上で鉄骨梁直上にもコンクリートを打設して合成梁を同時に構築することを特徴とする建築構造物のＲＣスラブ構築方法。
【請求項５】
鉄骨梁を境界とする両側にいずれもＲＣスラブを構築する際に、両側とも請求項１の端部閉塞フラットデッキプレートを捨て型枠として用いることで、梁上面に対してかさ上げされたＲＣスラブを構築する建築構造物のＲＣスラブ構築方法であって、
前記ＲＣスラブを構築する際のコンクリート打設に際して、
前記鉄骨梁上面に予め頭付きスタッドを溶接固定した上で鉄骨梁直上にもコンクリートを打設して合成梁を同時に構築することを特徴とする建築構造物のＲＣスラブ構築方法。
【請求項６】
請求項１の端部閉塞フラットデッキプレートを捨て型枠として用いてＲＣスラブを構築することを特徴とする建築構造物のＲＣスラブ構築方法。
【発明の詳細な説明】
【技術分野】
【０００１】
この発明は、長手方向の端部を閉塞した端部閉塞フラットデッキプレート、及びこれを用いた建築構造物のＲＣスラブ（鉄筋コンクリートスラブ）構築方法に関する。
【背景技術】
【０００２】
図３に示すように、フラットデッキプレート１０は、上面の平板部を長さ方向にわたって下方に折り曲げて形成された補剛用リブ３を複数条備えた断面形状で、ロール成形により製造される建築鋼材であり、主として、建築構造物の床スラブ、屋根スラブなどの鉄筋コンクリートスラブ（以下、ＲＣスラブと称す）を構築する際に、捨て型枠として複数枚を敷き並べて用いられる。図示の補剛用リブ３は上面につながる２枚重ね部３ａとその下方の三角形の中空部３ｂを持つ中空型である。なお、中空部のない閉塞型（後述の図９）もある。
このフラットデッキプレート１０は、一方の縁部に短幅平坦部２ａを備え、他方の縁部にＬ形に折り曲げた係止片４を備え、平板部２に多数のエンボス５を形成している。なお、他の図ではエンボス５の図示は省略している。
隣接する２つのフラットデッキプレート１０同士は、一方のフラットデッキプレート１０の係止片４を他方のフラットデッキプレート１０の側端の垂直な２枚重ね部３ａの隙間に差し込んで連結する。
【０００３】
このフラットデッキプレート１０は通常、長手方向の両端部を押し潰して閉塞する閉塞加工をして用いる。この端部を閉塞したフラットデッキプレートは一般に端部閉塞フラットデッキプレートと称される。
図１０、図１１に示すように、従来の端部閉塞フラットデッキプレート１’の閉塞端部（押し潰して閉塞した閉塞を指す）１ａ’は、図示の通り、補剛用リブ３が上面側（平板部２側）に押し潰されており、両端の閉塞端部１ａ’を梁６に掛けて捨て型枠として用いる（特許文献１）。図示例の梁６はＨ形鋼梁（Ｈ形鋼による鉄骨梁）である。
端部閉塞フラットデッキプレートは、両端が閉塞されていることで、コンクリート打設時に補剛用リブのスパン方向両端からコンクリートが漏れることが防止される、などの利点を有する。
【０００４】
ところで、事務所ビルなどの建築物の最近の傾向としては、経済性、快適性、汎用性を兼ね備えた仕様となるように、用途別の床構造を複数種類用いて設計することが多くなっている。
例えば、図１２は、Ｈ形鋼梁６を境界として、片側に、適宜構造のスラブ１１といわゆるＯＡ床等の二重床１２とからなる執務部床１３、他側にＲＣスラブ１５とカーペット等の仕上１６とからなる廊下、トイレ等の共用部床１７を構築する場合を示す。１８は壁を示す。
【０００５】
事務を行う執務部床１３のスラブ１１としては、合成スラブ構造、一方向性スラブ構造、ＲＣスラブ構造などの各種のスラブが採用されるが、図示例では、経済性を重視して、合成スラブ用のデッキプレートを用いて構築した合成スラブ構造を採用する場合を想定している。１１ａはデッキプレート、１１ｂはコンクリート層部分を示す。
また、仕上には快適性、汎用性を考慮し、ＬＡＮ環境に対応したＯＡ床（すなわち二重床）１２を配置している。
なお、合成スラブ用のデッキプレートを含めて、山部と谷部とが並んで波形をなすデッキプレート１１の場合には、図示のように、上面側（山面）を下面側（谷面）に押し潰した閉塞端部をもつデッキプレートを用いることが従来より行われている。
前記合成スラブ構造とは、コンクリートに対するズレ・剥離防止機構を設けた合成スラブ用のデッキプレートを用いて施工する構造であり、デッキプレートとコンクリートとが一体化して剛性に寄与する床構造である。一方向性スラブ構造とは、デッキプレートの溝を利用して一方向に配筋する鉄筋コンクリートスラブであり、デッキプレートはスラブ自重を負担する床構造である。
【０００６】
一方、廊下やトイレ等の共用部床１７には、配管空調等を配慮して、端部閉塞フラットデッキプレート１’を用いたＲＣスラブ構造１５を採用し、仕上１６はカーペット敷き等を配置している。この共用部床１７にはＯＡ床の採用は、経済的なスラブ構造を設計する観点からみて過剰設計となるため殆ど行われない。
【０００７】
この場合、共用部床１７の床面１７ａと執務部床１３の床面１３ａとは同じ高さレベルである必要があるが、図１２のように、端部閉塞フラットデッキプレート（以下、場合により単にフラットデッキプレートと略す）１’の閉塞端部１ａ’を梁６に直接載せてコンクリートを打設したのでは、ＯＡ床１２のために執務部床１３の床面１３ａが高くなっているので、共用部床１７のＲＣスラブ１５のスラブ厚ｄが過剰に厚くなり、経済性に欠ける。このため、この工法はあまり採用されない。
【０００８】
そこで、従来は、共用部床１７として、図１３のように、剛性上必要なスラブ厚に合わせて、仕上高さから逆算した位置にフラットデッキプレート１’を敷設する工法、すなわち、フラットデッキプレート１’の上面をＨ形鋼梁６の上面より高い位置にかさ上げするかさ上げ工法を採用しており、そのためにかさ上げ材１９として溝形鋼または山形鋼を事前に梁脇に溶接して取り付ける構造としていた。これにより、共用部床１７のＲＣスラブ１５が経済設計となる。
【０００９】
なお、かさ上げ材１９を用いる図１３の構造を構築する場合の具体的事例では、執務部床１３のスラブ１１として合成スラブを採用した場合、例えば次のような寸法範囲での設計が多く採用されている。
執務部床１３については、合成スラブ１１のスラブ厚ａが１４５〜１６５ｍｍ、二重床１２の高さｂが１００ｍｍ、スラブ厚ａと二重床高さｂとの合計ｃが２４５〜２６５ｍｍ、共用部床１７については、ＲＣスラブ１５のスラブ厚ｄが１４０〜１６５ｍｍ、カーペット敷等の仕上げｅが０〜１０ｍｍである。それらの各寸法の具体的設定に応じてかさ上げ高さｆが決まる。
なお、図１２において、執務部床１３が前記各寸法ａ、ｂ、ｃの通りである場合、ＲＣスラブ１５のスラブ厚ｄはｃ（＝２４５〜２６５ｍｍ）から仕上げ厚ｅ（０〜１０ｍｍ）を引いた厚みとなり、前述の通りスラブが過剰に厚くなる設計となる。
なお、共用部床１７として、経済性に優れた合成スラブ構造でなくＲＣスラブ構造を採用するのは、前述した配管空調等を配慮してのことである。すなわち、建築物の設計では、共用部床に各種配管を貫通させることが多いが、デッキプレートが強度部材として機能している合成スラブでは、デッキプレートに配管のための貫通穴をあけることは強度を損なうため設計が難しく、各種配管を貫通させる共用部床には合成スラブ構造は採用しずらい。
【００１０】
引用文献２は、フラットデッキプレートではないが、建築構造物において、例えば広いスパンと狭いスパンとが隣接していて梁の両側で波高さの異なるデッキプレートが用いられる場合に、波高さの異なるデッキプレートを梁上で接合する接合方法として、波高さの低いデッキプレートを、梁上に載せた仕切り材の上に載せて、波高さの異なるデッキプレートの上面高さを揃える方法が記載されている。
【先行技術文献】
【特許文献】
【００１１】
【特許文献１】特許第２７３６５８７号（特開平６−１２３１５４）
【特許文献２】実公昭６３−７６１３の第１図など。
【発明の概要】
【発明が解決しようとする課題】
【００１２】
上記図１３のように、かさ上げ材１９を梁に溶接固定してフラットデッキプレート１’をかさ上げする方法は、別部材として必要となるかさ上げ材１９の材料費及び加工費のためにコスト増となり、また、かさ上げ材１９を溶接固定する作業が煩雑でその工数及び管理箇所増のためにコスト増となる。
また、図１２のようにかさ上げ材を用いない場合は、コンクリート量増大のためにコスト増となり、また、それに伴う重量増大に応じて必要となる鉄骨部材のサイズアップのためにコスト増となる。
【００１３】
ところで、鉄骨構造物においては、コスト削減の観点から合成梁の設計を行うケースがある。図１４に示すように、合成梁２１とは、鉄骨梁６上に頭付きスタッド２２を配置し、頭付きスタッド２２を介して梁直上のコンクリート２３を鉄骨梁６の挙動と一体化させることにより、梁構造の断面性能向上を図ったものである。この場合、梁直上のコンクリート厚Ｋは、その合成梁に要求される断面性能に対応する適正なコンクリート厚と同厚以上とする。なお、梁直上のコンクリート（合成梁を構成するコンクリート）２３は、鉄骨梁６の両側の適宜構造のスラブ２５を構築する際に行うコンクリート打設により同時に打設される。
【００１４】
図１５に示すように、鉄骨梁６を境界とする両側にいずれも、従来のフラットデッキプレート１’を鉄骨梁６に直接載せてＲＣスラブ２５を構築する場合で、梁を合成梁２１とする場合、合成梁に要求される断面性能に対応する適正なコンクリート厚Ｋに対して、ＲＣスラブ２５のスラブ厚ｇが過剰に厚くなり、経済性に欠けるというケースがある。この場合、図１６のように、ＲＣスラブ２５のスラブ厚ｇを当該ＲＣスラブ２５に要求される適正なスラブ厚ｇにすると、合成梁２１ではコンクリート厚Ｋが不足して合成梁の断面性能が不十分になるため、採用できない。
そこで、ＲＣスラブ２５のスラブ厚ｇを適正厚にすることと、合成梁２１のコンクリート厚Ｋを適正厚にすることとを両立させるために、図１７のように、図１３のＲＣスラブと同じくかさ上げ材１９でかさ上げしたＲＣスラブ２５とすると、前述のように、かさ上げ材１９を用いることに伴うコスト増という問題が生じる。
【００１５】
本発明は上記背景のもとになされたもので、かさ上げ材を必要とせずにＲＣスラブのかさ上げをすることが可能で、経済性に優れたＲＣスラブを構築することが可能な端部閉塞フラットデッキプレート、及びこれを用いた経済性に優れた建築構造物のＲＣスラブ構築方法を提供することを目的とし、また、合成梁構造を採用してＲＣスラブを構築する際に、合成梁として要求される断面性能を満たすことと、ＲＣスラブをかさ上げ材なしに適正なスラブ厚とすることを両立させることが可能な建築構造物のＲＣスラブ構築方法を提供することを目的とする。
【課題を解決するための手段】
【００１６】
上記課題を解決する請求項１の発明の端部閉塞フラットデッキプレートは、上面の平板部を長さ方向にわたって下方に折り曲げて形成された補剛用リブを複数条備えたフラットデッキプレートにおける長手方向両端部に、平板部を補剛用リブ下面位置まで押し潰してなるリブ下面位置閉塞端部を備えたことを特徴とする。
【００１７】
請求項２の発明の建築構造物のＲＣスラブ構築方法は、梁を境界として片側に、スラブ上に二重床を備えた第１の床、他側に、ＲＣスラブを備えた第２の床を構築する際に、前記第２の床のＲＣスラブを、第２の床が第１の床の床面高さと同じ床面高さとなるように構築する建築構造物のＲＣスラブ構築方法であって、
前記第２の床のＲＣスラブを構築する際の捨て型枠として、請求項１のフラットデッキプレートを用いて、梁上面に対してかさ上げされたＲＣスラブを構築することを特徴とする。
【００１８】
請求項３の発明の建築構造物のＲＣスラブ構築方法は、梁を境界として片側に第１の床、他側に、設計強度上要求されるスラブ厚が第１の床よりも小のＲＣスラブを備えた第２の床を構築する際に、前記第２の床のＲＣスラブを、第２の床が第１の床の床面高さと同じ床面高さとなるように構築する建築構造物のＲＣスラブ構築方法であって、
前記第２の床のＲＣスラブを構築する際の捨て型枠として、請求項１の端部閉塞フラットデッキプレートを用いて、梁上面に対してかさ上げされたＲＣスラブを構築することを特徴とする。
【００１９】
請求項４の発明の建築構造物のＲＣスラブ構築方法は、梁が鉄骨梁である場合に請求項２又は３の建築構造物のＲＣスラブ構築方法によりＲＣスラブを構築する際のコンクリート打設に際して、前記鉄骨梁上面に予め頭付きスタッドを溶接固定した上で鉄骨梁直上にもコンクリートを打設して合成梁を同時に構築することを特徴とする。
【００２０】
請求項５の発明の建築構造物のＲＣスラブ構築方法は、鉄骨梁を境界とする両側にいずれもＲＣスラブを構築する際に、両側とも請求項１の端部閉塞フラットデッキプレートを捨て型枠として用いることで、梁上面に対してかさ上げされたＲＣスラブを構築する建築構造物のＲＣスラブ構築方法であって、
前記ＲＣスラブを構築する際のコンクリート打設に際して、
前記鉄骨梁上面に予め頭付きスタッドを溶接固定した上で鉄骨梁直上にもコンクリートを打設して合成梁を同時に構築することを特徴とする。
【００２１】
請求項６の発明の建築構造物のＲＣスラブ構築方法は、請求項１の端部閉塞フラットデッキプレートを捨て型枠として用いてＲＣスラブを構築することを特徴とする。
【発明の効果】
【００２２】
請求項１の発明の端部閉塞フラットデッキプレートによれば、長手方向の両端部に、平板部を補剛用リブ下面位置まで押し潰してなるリブ下面位置閉塞端部を持つ構造であるから、この端部閉塞フラットデッキプレートを捨て型枠としてＲＣスラブを構築した場合、ＲＣスラブが梁上面位置より概ね補剛用リブの高さ分だけかさ上げされる。
このように、かさ上げ材を用いることなく、かさ上げＲＣスラブを構築することができ、かさ上げ材の材料費及び加工費によりコスト増や、かさ上げ材設置工数及び管理箇所増によるコスト増の問題のない経済設計が実現される。
【００２３】
請求項２の発明のＲＣスラブ構築方法によれば、梁の片側にスラブ上に二重床を備えた第１の床、他側にＲＣスラブを備えた第２の床を構築する場合で、第２の床と第１の床の床面高さを揃える場合に、請求項１の端部閉塞フラットデッキプレートを用いることで、経済性に優れたＲＣスラブを構築することが可能となる。
【００２４】
請求項３の発明のＲＣスラブ構築方法によれば、梁の片側に強度上要求されるスラブ厚が大のスラブを備えた第１の床、他側に強度上要求されるスラブ厚が小のＲＣスラブを備えた第２の床を構築する場合で、第２の床と第１の床の床面高さを揃える場合に、請求項１の端部閉塞フラットデッキプレートを用いることで、経済性に優れたＲＣスラブを構築することが可能となる。
【００２５】
請求項４の発明のＲＣスラブ構築方法により、請求項２又は３の建築構造物のＲＣスラブ構築方法を、梁が鉄骨梁で合成梁を構築する場合に適用することができる。
【００２６】
請求項５の発明のＲＣスラブ構築方法によれば、合成梁の両側にいずれもＲＣスラブを構築する場合に、請求項１の端部閉塞フラットデッキプレートを用いることで、合成梁として要求される断面性能を満たすことと、かさ上げ材なしに適正なスラブ厚のＲＣスラブを構築することを両立させることが可能となる。
【図面の簡単な説明】
【００２７】
【図１】本発明の端部閉塞フラットデッキプレートを用いてＲＣスラブを構築する際に、端部閉塞フラットデッキプレートを梁間に架け渡した状態を示す側面図である。
【図２】（イ）は図１の閉塞端部近傍の拡大図、（ロ）は（イ）のＡ−Ａ要部切断端面図である。
【図３】本発明の実施例の端部閉塞フラットデッキプレートの端部閉塞加工前のフラットデッキプレートを示すもので、（イ）は平面図、（ロ）は断面形状を示す図である。
【図４】本発明の一実施例の端部閉塞フラットデッキプレートの閉塞端部近傍を示す斜視図である。
【図５】上記端部閉塞フラットデッキプレートを用いて構築した本発明の一実施例の建築構造物のＲＣスラブ構築方法を説明する図である。
【図６】図５の実施例のＲＣスラブ構造における梁を合成梁とする場合の建築構造物のＲＣスラブ構築方法を説明する図である。
【図７】梁の両側にＲＣスラブを構築する場合で梁を合成梁とする場合の本発明の一実施例の建築構造物のＲＣスラブ構築方法を説明する図である。
【図８】梁の両側に要求スラブ厚の異なるＲＣスラブを構築する場合の本発明の一実施例の建築構造物のＲＣスラブ構築方法を説明する図である。
【図９】本発明の端部閉塞フラットデッキプレートの端部閉塞加工前のフラットデッキプレートの断面形状の他の例を示す図である。
【図１０】従来の端部閉塞フラットデッキプレートを用いてＲＣスラブを構築する際に、端部閉塞フラットデッキプレートを梁間に架け渡した状態を示す側面図である。
【図１１】（イ）は図１０の閉塞端部近傍の拡大図、（ロ）は（イ）のＢ−Ｂ要部切断端面図である。
【図１２】図１０の従来の端部閉塞フラットデッキプレートを梁に直接載せて構築した建築構造物のＲＣスラブ構築方法を説明する図である。
【図１３】図１０の従来の端部閉塞フラットデッキプレートを、梁に固定したかさ上げ材に載せて構築した建築構造物のＲＣスラブ構築方法を説明する図である。
【図１４】合成梁について説明する図である。
【図１５】梁の両側にＲＣスラブを構築する場合で梁を合成梁とする場合に、従来の端部閉塞フラットデッキプレートを梁に直接載せて構築したＲＣスラブ構造を説明する図である。
【図１６】図１５において、ＲＣスラブの要求スラブ厚に合わせて合成梁を構築した場合の不都合を説明する図である。
【図１７】梁の両側にＲＣスラブを構築する場合で梁を合成梁とする場合に、従来の端部閉塞フラットデッキプレートを、梁に固定したかさ上げ材に載せて構築した建築構造物のＲＣスラブ構築方法を説明する図である。
【発明を実施するための形態】
【００２８】
以下、本発明の端部閉塞フラットデッキプレート、及びこれを用いた建築構造物のＲＣスラブ構築方法の実施例を、図１〜図９を参照して説明する。
【実施例１】
【００２９】
図１は本発明の端部閉塞フラットデッキプレート１を用いてＲＣスラブを構築する際に、複数枚の端部閉塞フラットデッキプレート１を、捨て型枠として梁６間に架け渡して敷き並べた状態を示す側面図、図２（イ）は図１の閉塞端部近傍の拡大図、図２（ロ）は補剛用リブ３の部分の断面図である。
この端部閉塞フラットデッキプレート１は、先に説明した図３のフラットデッキプレート１０の長手方向の両方の端部を閉塞したものである。図３の再度の説明は省略する。
【００３０】
図１、図２、及び、図４の斜視図に示すように、本発明の端部閉塞フラットデッキプレート１は、図１０、図１１で説明した従来の端部閉塞フラットデッキプレート１’とは逆に、上面側（平板部２側）が補剛用リブ３の略下面位置まで押し潰されている。すなわち、平板部２を補剛用リブ３の略下面位置まで押し潰してなるリブ下面位置閉塞端部（以下、単に閉塞端部と言う）１ａを備えている。
【００３１】
図５は、この端部閉塞フラットデッキプレート（以下、場合により単にフラットデッキプレートと略す）１を用いてＲＣスラブ１５を構築する一実施例を示す。
この実施例は、Ｈ形鋼梁６を境界として、片側に適宜構造のスラブ１１といわゆるＯＡ床等の二重床１２とからなる執務部床１３、他側にＲＣスラブ１５とカーペット等の仕上１６とからなる廊下等の共用部床１７を構築する場合である。１８は壁である。
【００３２】
事務を行う執務部床１３のスラブ１１としては、合成スラブ構造、一方向性スラブ構造、ＲＣスラブ構造などの各種のスラブが採用されるが、この実施例では、経済性を重視して、合成スラブ用のデッキプレートを用いて構築した合成スラブ構造を採用する場合を想定している。１１ａはデッキプレート、１１ｂはデッキプレート上面より上のコンクリート層部分を示す。
ＲＣスラブでは捨て型枠のデッキプレートは剛性を負担しないのでデッキプレート上面より上の鉄筋コンクリート部分ｄがスラブ厚ｄとされるが、合成スラブでは合成スラブ用のデッキプレート１１ａがコンクリートと一体化して引張り剛性を負担するので、デッキプレート１１ａを含めた厚みａがスラブ厚ａとされる。
また、スラブ１１の上に快適性、汎用性を考慮し、ＬＡＮ環境に対応したＯＡ床（すなわち二重床）１２を配置している。
一方、廊下やトイレ等の共用部床１７には、配管空調等を配慮して、フラットデッキプレートを用いたＲＣスラブ構造を採用し、仕上１６はカーペット敷き等を配置している。
【００３３】
この場合、共用部床１７の床面１７ａと執務部床１３の床面１３ａとは同じ高さレベルである必要があるが、図１２のように従来の端部閉塞フラットデッキプレート１’を梁６に直接載せてＲＣスラブ１５を構築したのでは、スラブ厚ｄが過剰に厚い過剰設計となる。
そこで、図示のように、本発明の端部閉塞フラットデッキプレート１を共用部床１７のＲＣスラブ１５を構築する捨て型枠としてを用いる。フラットデッキプレート１は図１、図２、図４の態様でスパン両側のＨ形鋼梁６間に架け渡され、これを捨て型枠としてＲＣスラブを構築すれば、図５のようなスラブ厚ｄのかさ上げＲＣスラブ１５が構築される。
このように、本発明の端部閉塞フラットデッキプレート１によれば、かさ上げ材を用いることなく、かさ上げＲＣスラブを構築することができ、かさ上げ材の材料費及び加工費によりコスト増や、かさ上げ材設置工数及び管理箇所増によるコスト増の問題のない経済設計が実現される。
【００３４】
なお、図５の構造の具体的寸法例について説明すると、執務部床１３の仕様は図１３と同じであり、合成スラブ１１のスラブ厚ａが１４５〜１６５ｍｍ、二重床１２の高さｂが１００ｍｍ、スラブ厚ａと二重床高さｂとの合計ｃが２４５〜２６５ｍｍを想定している。
共用部床１７については、フラットデッキプレート１として成（せい）ｈが一般的なフラットデッキプレートの成７５ｍｍより高い１００ｍｍのものを用いている。ＲＣスラブ１５のスラブ厚ｄが図１３と同じく１４０〜１６５ｍｍ、カーペット敷等の仕上げｅが０〜１０ｍｍである。
【実施例２】
【００３５】
図６は、図５におけるＨ形鋼梁６を合成梁とした実施例を示す。
すなわち、図５のＲＣスラブ１５及び合成スラブ１１を構築する際のコンクリート打設に際して、Ｈ形鋼梁（鉄骨梁）６の上面に予め頭付きスタッド２２を溶接固定した上で梁直上にもコンクリート２３を打設して、合成梁２１を同時に構築したものである。
【実施例３】
【００３６】
図７は、Ｈ形鋼梁６の両側にいずれも、本発明の端部閉塞フラットデッキプレート１を捨て型枠として用いてＲＣスラブ２５を構築する場合で、かつ、Ｈ形鋼梁６を合成梁２１とする場合の実施例である。
すなわち、Ｈ形鋼梁６の両側にいずれも、本発明のフラットデッキプレート１を捨て型枠として用いてＲＣスラブ２５を構築する際のコンクリート打設に際して、Ｈ形鋼梁（鉄骨梁）６の上面に予め頭付きスタッド２２を溶接固定した上で梁直上にもコンクリート２３を打設して、合成梁２１を同時にＲＣスラブ２５を構築したものである。図示例ではカーペットなどの仕上げ１６を配置している。
図１５のように、従来のフラットデッキプレート１’を直接梁６に載せて両側のＲＣスラブ２５を構築したとすると、前述の通り、合成梁２１に要求される断面性能に対応する適正なコンクリート厚Ｋに対して、ＲＣスラブ２５のスラブ厚ｇ（ｇ＝Ｋ）が過剰に厚い過剰設計となるが、図７のように本発明のフラットデッキプレート１を用いてＲＣスラブ２５を構築すると、ＲＣスラブ２５のスラブ厚ｇを適正にすることができ、過剰に厚い過剰設計になることを避けることができる。
また、かさ上げ材を用いることでコスト増になることも避けることができる。
したがって、合成梁２１として要求される断面性能を満たすことと、かさ上げ材なしに適正なスラブ厚ｇのＲＣスラブ２５を構築することを両立させることができる。
【実施例４】
【００３７】
図８は、梁６を境界として片側に、重量設備が設置されるなどにより強度上要求されるスラブ厚ｍが大のスラブ３１を備えた第１の床３３、他側に、荷重があまりかからず強度上要求されるスラブ厚ｎが小のＲＣスラブ３５を備えた第２の床３７を構築する際に、前記第２の床３７のＲＣスラブ３５を、第２の床３７の床面３７ａと第１の床３３の床面３３ａとを同じ高さレベルとなるように構築する場合の実施例である。
図示の第１の床３３のスラブ３１は合成スラブを想定している。但し、一方向性スラブ構造、あるいは波形の通常のデッキプレートを用いたＲＣスラブ構造、その他のスラブであってもよい。
第２の床３７のＲＣスラブ３５を構築する際の捨て型枠として、上記実施例の端部閉塞フラットデッキプレート１を用いる。
これにより、梁６の上面に対してかさ上げされたＲＣスラブ３５が構築される。
第２の床３７のＲＣスラブを構築する際に、図１２の共用部のＲＣスラブ１５のように、従来のフラットデッキプレート１’を用いてＲＣスラブを構築したのでは、この第２の床３７のＲＣスラブが過剰設計になってしまうが、本発明のフラットデッキプレート１を用いてかさ上げして適性なスラブ厚ｎのＲＣスラブ３５を構築することで、過剰設計を回避できる。
【実施例５】
【００３８】
本発明で用いるフラットデッキプレートにおける補剛用リブの断面形状は、上述の実施例の補剛用リブ３のような断面形状に限らず、同じ中空型でも、中空部３ｂの形状や大きさが異なるもの、２枚重ね部３ａの高さ（上下方向の長さ）が異なるものなど種々の断面形状が可能である。
また、例えば、図９に示したフラットデッキプレート１０’の補剛用リブ３’のように、中空部がなく全体が２枚重ね部３ａ’で、その２枚重ね部３ａ’がＬ形をなしている断面形状のものでもよい。
【符号の説明】
【００３９】
１０  端部閉塞していないフラットデッキプレート
１  端部閉塞フラットデッキプレート
１ａ  閉塞端部
２  平板部
３、３’  補剛用リブ
３ａ、３ａ’  二枚重ね部
３ｂ  中空部
６    梁（鉄骨梁（Ｈ形鋼梁））
１１  （第１の床１３の）スラブ
１１ａ  デッキプレート
１１ｂ  コンクリート層部分
１２  （第１の床１３の）二重床
１３  第１の床（執務部の床）
１３ａ  第１の床の床面
１５  （第２の床１７の）ＲＣスラブ
１６  （第２の床１７の）仕上
１７  第２の床（共用部の床）
１７ａ  第２の床の床面
１８  壁
ａ  第１の床のスラブ１１のスラブ厚
ｂ  二重床１２の高さ
ｃ  第１の床のスラブのスラブ厚ａと二重床の高さｂの合計厚み
ｄ  第２の床のＲＣスラブ１５のスラブ厚
ｅ  第２の床の仕上１６の厚み
２１  合成梁
２２  頭付きスタッド
２３  コンクリート
２５  （鉄骨梁の両側にＲＣスラブを構築する場合の）ＲＣスラブ
ｇ  （鉄骨梁の両側にＲＣスラブを構築する場合の）ＲＣスラブ２５のスラブ厚
Ｋ  合成梁のコンクリート厚
３１    （第１の床３３の）スラブ
３１ａ  デッキプレート
３１ｂ  コンクリート層部分
３３    第１の床
３３ａ    第１の床の床面
３５  （第２の床３７の）ＲＣスラブ
３６  （第２の床３７の）仕上
３７    第２の床
３７ａ  第２の床の床面
ｍ    第１の床のスラブ３１のスラブ厚
ｎ    第２の床のＲＣスラブ３５のスラブ厚
【図１】
2011026920.tif 000003
【図２】
2011026920.tif 000004
【図３】
2011026920.tif 000005
【図４】
2011026920.tif 000006
【図５】
2011026920.tif 000007
【図６】
2011026920.tif 000008
【図７】
2011026920.tif 000009
【図８】
2011026920.tif 000010
【図９】
2011026920.tif 000011
【図１０】
2011026920.tif 000012
【図１１】
2011026920.tif 000013
【図１２】
2011026920.tif 000014
【図１３】
2011026920.tif 000015
【図１４】
2011026920.tif 000016
【図１５】
2011026920.tif 000017
【図１６】
2011026920.tif 000018
【図１７】
2011026920.tif 000019